(57)【要約】【課題】地震の振動等に伴う被支持物の移動を阻止し、緩衝を図る防振効果を損なうことなく、被支持物の位置を横方向にずらして容易に調整できるようにする。【解決手段】被支持物に下方からねじ込まれるボルト軸１と、これを頂部から立ち上がらせて保持する台座２とを備え、台座２の下面に粘着性及び弾力性を有する粘着シート４を装着し、粘着シート４により被支持物を床面に緩衝固定すると共に、ボルト軸１とこれに螺合する部材の相対回転に伴い、被支持物の高さを調整する高さ調整用脚金具において、前記ボルト軸１を台座２に上下方向にスライド自在に挿通し、台座２の頂部に、ボルト軸１に螺合する台座操作ナット６を回転自在に設け、台座操作ナット６を回すと、台座２がボルト軸１に対して昇降し、台座２を上昇させて粘着シート４を床面から離反させた状態で、ボルト軸１の下端側を床面に当接させ、被支持物を仮支持できるようにする。【選択図】図１
2011179675.tif 000002
【特許請求の範囲】
【請求項１】
被支持物に下方からねじ込まれるボルト軸(1)と、これを頂部から立ち上がらせて保持する台座(2)とを備え、台座(2)の下面に粘着性及び弾力性を有する粘着シート(4)を装着し、粘着シート(4)により被支持物を床面に緩衝固定すると共に、ボルト軸(1)とこれに螺合する部材の相対回転に伴い、被支持物の高さを調整する高さ調整用脚金具において、前記ボルト軸(1)を台座(2)に上下方向にスライド自在に挿通し、台座(2)の頂部に、ボルト軸(1)に螺合する台座操作ナット(6)を回転自在に設け、台座操作ナット(6)を回すと、台座(2)がボルト軸(1)に対して昇降し、台座(2)を上昇させて粘着シート(4)を床面から離反させた状態で、ボルト軸(1)の下端側を床面に当接させ、被支持物を仮支持できるようにしたことを特徴とする高さ調整用脚金具。
【請求項２】
前記ボルト軸(1)の下端部に床当部材(5)を相対回転自在に設け、床当部材(5)が床面に当接した状態でボルト軸(1)を回しても、床当部材(5)は回転しないようにしたことを特徴とする請求項１に記載の高さ調整用脚金具。
【発明の詳細な説明】
【技術分野】
【０００１】
この発明は、工作機械や計測機器等の被支持物の設置に際し、その水平レベル調整等のため、被支持物の支持高さを調整できるようにした脚金具に関するものである。
【背景技術】
【０００２】
従来、この種の高さ調整用脚金具として、下記特許文献１には、図５に示すようなものが記載されている。この脚金具は、被支持物Ｍの雌ねじ部Ｓに下方からねじ込まれるボルト軸５１と、これを頂部から立ち上がらせて保持するドーム状の台座５２とを備え、台座５２の底部を閉塞する基盤５３の下面には、粘着性及び弾力性を有する粘着シート５４が装着されている。
【０００３】
ボルト軸５１には、台座５２の上側に位置してボルト軸５１と一体に回転する軸操作ナット５６と、台座５２の内部に位置してボルト軸５１を台座５２から抜け止めする抜止ナット５７とが設けられ、軸操作ナット５６の上方に締付ナット５８がねじ込まれている。
【０００４】
この脚金具では、被支持物Ｍを設置する際、被支持物Ｍの下部にボルト軸５１をねじ込んで脚金具を取り付けておき、被支持物Ｍと共に脚金具を床面Ｆに降ろして、粘着シート５４を床面Ｆに密着させる。これにより、地震の振動等に伴う被支持物Ｍの移動を阻止すると共に、被支持物Ｍに作用する衝撃を緩和する防振効果を得ることができる。
【０００５】
そして、軸操作ナット５６を適宜回して、被支持物Ｍの雌ねじ部Ｓへのボルト軸５１のねじ込み量を変化させることにより、被支持物Ｍの水平レベルを調整することができ、その状態で、締付ナット５８を被支持物Ｍへ向けて緊締することにより、被支持物Ｍの高さ位置を固定することができる。
【先行技術文献】
【特許文献】
【０００６】
【特許文献１】特開２００８−１９４４０６号公報
【発明の概要】
【発明が解決しようとする課題】
【０００７】
しかしながら、上記のような高さ調整用脚金具では、被支持物に取り付けて一旦床面に降ろすと、粘着シートが床面に強力に吸着するので、被支持物を横方向にずらすことができず、設置位置の微調整を行なうことができないという問題がある。
【０００８】
そこで、この発明は、地震の振動等に伴う被支持物の移動を阻止し、緩衝を図る防振効果を損なうことなく、被支持物の位置を横方向にずらして容易に調整できるようにすることを課題とする。
【課題を解決するための手段】
【０００９】
上記課題を解決するため、この発明は、被支持物に下方からねじ込まれるボルト軸と、これを頂部から立ち上がらせて保持する台座とを備え、台座の下面に粘着性及び弾力性を有する粘着シートを装着し、粘着シートにより被支持物を床面に緩衝固定すると共に、ボルト軸とこれに螺合する部材の相対回転に伴い、被支持物の高さを調整する高さ調整用脚金具において、前記ボルト軸を台座に上下方向にスライド自在に挿通し、台座の頂部に、ボルト軸に螺合する台座操作ナットを回転自在に設け、台座操作ナットを回すと、台座がボルト軸に対して昇降し、台座を上昇させて粘着シートを床面から離反させた状態で、ボルト軸の下端側を床面に当接させ、被支持物を仮支持できるようにしたのである。
【００１０】
また、前記ボルト軸の下端部に床当部材を相対回転自在に設け、床当部材が床面に当接した状態でボルト軸を回しても、床当部材は回転しないようにしたのである。
【発明の効果】
【００１１】
この発明に係る脚金具では、被支持物を設置する際、ボルト軸のねじ込みにより被支持物の下部に脚金具を取り付け、台座をボルト軸に対して上昇させた状態で、被支持物と共に脚金具を床面に降ろすと、ボルト軸の下端側が床面に当接し、被支持物は仮に支持された状態となる。
【００１２】
この時点では、まだ台座の下面の粘着シートは床面に当接していないので、被支持物を横方向にずらして設置位置の微調整を行なうことができ、ボルト軸を回転させて被支持物の支持高さを調整することもできる。
【００１３】
その後、台座操作ナットを回して、台座を下降させ、粘着シートを床面に押し付けるように密着させると、被支持物を所定の位置に緩衝固定でき、防振性能が発揮される。
【００１４】
また、ボルト軸の下端部に床当部材を相対回転自在に設け、床当部材が床面に当接した状態でボルト軸を回しても、床当部材が回転しないようにすると、高さ調整時にボルト軸で床面が傷付く現象が防止される。
【図面の簡単な説明】
【００１５】
【図１】この発明の実施形態に係る高さ調整用脚金具を示す斜視図
【図２】同上の高さ調整用脚金具の正面図
【図３】同上の台座を上昇させて被支持物を仮支持した状態を示す正面図
【図４】同上の台座を下降させて被支持物を緩衝固定した状態を示す正面図
【図５】従来の高さ調整用脚金具により被支持物を緩衝固定した状態を示す正面図
【発明を実施するための形態】
【００１６】
以下、この発明の実施形態を添付図面に基づいて説明する。
【００１７】
この高さ調整用脚金具は、図１及び図２に示すように、ボルト軸１と台座２とを備え、台座２は、ボルト軸１を頂部から立ち上がらせて保持するドーム状とされている。台座２のフランジ部分の下方へ曲がった外周部により、円盤状の基盤３が抱持され、基盤３の下面には、ウレタン系ゴム等の粘着性及び弾力性を有する粘着シート４が装着されている。
【００１８】
ボルト軸１の外周には雄ねじが形成され、ボルト軸１の下端部には、相対回転自在に円筒状の金属から成る床当部材５が取り付けられている。そして、ボルト軸１が台座２、基盤３及び粘着シート４の中央部に形成された貫穴２ａ，３ａ，４ａに上下方向にスライド自在に挿通されて、台座２は、ボルト軸１に対し昇降自在とされている。
【００１９】
台座２の頂部には、ボルト軸１に螺合して、回転に伴い台座２を昇降させる台座操作ナット６が設けられている。台座操作ナット６は、下方へ延びるスリーブ６ａを有し、スリーブ６ａが貫穴２ａに挿通され、台座２の内部でスリーブ６ａに抜止環６ｂを嵌めて、スリーブ６ａの下端部をかしめることにより、貫穴２ａから抜け止めされ、台座２に対して相対回転可能とされている。
【００２０】
ボルト軸１には、台座操作ナット６の上方に、軸操作ナット７及び締付ナット８が順次ねじ込まれている。
【００２１】
上記のような脚金具では、図３に示すように、被支持物Ｍを設置する際、ボルト軸１の上端部を被支持物Ｍの雌ねじ部Ｓに下方からねじ込み、被支持物Ｍの下部に脚金具を取り付ける。このとき、軸操作ナット７と締付ナット８とを密着させると、軸操作ナット７と共にボルト軸１を回すことができる。
【００２２】
次に、台座操作ナット６を適宜回し、台座２をボルト軸１に対して上昇させた状態で、被支持物Ｍと共に脚金具を床面Ｆに降ろすと、ボルト軸１の下端側が床当部材５を介して床面Ｆに当接し、被支持物Ｍは仮に支持された状態となる。
【００２３】
この時点では、まだ台座２の下面の粘着シート４が床面Ｆに当接していないので、被支持物Ｍを横方向にずらして設置位置の微調整を行なうことができる。
【００２４】
その後、軸操作ナット７を締付ナット８に密着させた状態で回して、ボルト軸１を適宜回転させ、被支持物Ｍの雌ねじ部Ｓへのボルト軸１のねじ込み量を変化させて、被支持物Ｍの脚金具による支持高さを調整し、被支持物Ｍの水平レベルを調整した状態で、締付ナット８を被支持物Ｍへ向けて緊締することにより、被支持物Ｍの高さ位置を固定する。
【００２５】
このとき、床当部材５が床面Ｆに当接した状態でボルト軸１を回しても、床当部材５は回転しないので、被支持物Ｍの高さ調整時にボルト軸１で床面Ｆが傷付くことがない。
【００２６】
そして、図４に示すように、台座操作ナット６を回して、台座２を下降させ、粘着シート４を床面Ｆに押し付けるように密着させると、地震の振動等に伴う被支持物Ｍの移動を阻止すると共に、被支持物Ｍに作用する衝撃を緩和する防振効果を得ることができる。
【００２７】
さらに、軸操作ナット７を回して下降させ、台座操作ナット６に密着させると、ボルト軸１に対して台座操作ナット６を固定することができる。
【００２８】
ところで、被支持物Ｍの雌ねじ部Ｓにボルト軸１をねじ込むのではなく、雌ねじ部Ｓのない被支持物Ｍの貫穴にボルト軸１を差し込んで、締付ナット８で被支持物Ｍの荷重を受け止める場合には、ボルト軸１を回すのではなく、締付ナット８を回すことにより、被支持物Ｍの高さ調整を行なうことができる。この場合、ボルト軸１に上端から固定ナットをねじ込んで、被支持物Ｍを固定する必要がある。
【００２９】
なお、上記実施形態では、台座２として、基盤３を抱持する形式のものを例示しているが、台座２と基盤３とをボルトにより結合するようにしてもよく、台座２に粘着シート４の粘着面積を十分に確保できるのであれば、基盤３を省略してもよい。
【００３０】
また、床面Ｆの傷付きを特に防止する必要がない場合には、床当部材５を省略し、ボルト軸１として、通常の六角ボルト等を使用し、その頭部が直接床面Ｆに当接するようにしてもよい。
【符号の説明】
【００３１】
１  ボルト軸
２  台座
２ａ  貫穴
３  基盤
３ａ  貫穴
４  粘着シート
４ａ  貫穴
５  床当部材
６  台座操作ナット
６ａ  スリーブ
６ｂ  抜止環
７  軸操作ナット
８  締付ナット
Ｍ  被支持物
Ｓ  雌ねじ部
Ｆ  床面
【図１】
2011179675.tif 000003
【図２】
2011179675.tif 000004
【図３】
2011179675.tif 000005
【図４】
2011179675.tif 000006
【図５】
2011179675.tif 000007